(57)【要約】本発明は、サンプルスライドの処理装置及び処理方法を開示する。前記装置は、主に、容器（３０１）、ベース（３０２）、加熱装置（３０３）、スライドカバー（１００）、スライド（１０１）、スライドサポート（２００）、液体排出口（３０７）、液体注入口（３０８）、制御器（３０９）、熱電対（３１２）、温度表示画面（３１３）、保温時間表示窓（３１４）、保温時間調整ボタン（３１５）を含む。大量のサンプルスライドは、同一装置において試薬添加、洗浄、熱処理、保温、脱水などの処理を行うことができ、サンプルスライド処理の全過程において手動でスライドを取ったり移行したりする必要がなく、人工干渉及び介入を低減し、時間を節約し、操作を簡易化するだけでなく、操作誤差を低減することができる。【選択図】図１
2019509505.tif 000002
【特許請求の範囲】
【請求項１】
サンプルスライドの処理装置であって、
容器（３０１）、ベース（３０２）、加熱装置（３０３）、スライドカバー（１００）、スライド（１０１）、スライドサポート、液体排出口（３０７）、液体注入口（３０８）、制御器（３０９）、熱電対（３１２）、温度表示画面（３１３）、保温時間表示窓（３１４）、保温時間調整ボタン（３１５）を含み、前記スライドサポートは、単一列の挿入溝を有するスライドサポート（２００）又は複数列の挿入溝を有するスライドサポート（２００ｂ）であり、
前記スライドカバー（１００）は、スライド（１０１）と配合し、サンプル処理のための１組のスライドアセンブリ（１０３）を構成し、
容器（３０１）には、１つ又は複数のスライドサポートを吊り下げて、スライドサポートの各列には１つ以上のＶ字状の挿入溝（２０３）が設けられ、同一列のＶ字状の挿入溝（２０３）が直線状に布置され、それぞれのＶ字状の挿入溝にはばね板（２０１）が設けられ、スライドアセンブリの上端の外形がＶ字状の挿入溝にマッチングし、スライドアセンブリ（１０３）がスライドサポートのＶ字状の挿入溝に沿って挿入し、スライドカバー（１００）の背面がばね板（２０１）を押付けて、ばね圧を発生してスライド（１０１）とスライドカバー（１００）を押し締め、
加熱装置（３０３）は、ベース（３０２）の上方かつ容器（３０１）の下方に位置し、制御器（３０９）は、加熱装置の容器（３０１）に対する加熱作業を制御し、熱電対（３１２）は、容器に配置され、熱電対（３１２）は、容器（３０１）の温度をリアルタイムに検知し、かつ検知した温度情報を制御器（３０９）に伝送して加熱装置の電力出力を調整し、従って温度を調整し、温度表示画面（３１３）は、容器の温度を表示し、保温時間調整ボタン（３１５）は、保温の時間を調整して設置することができ、保温時間表示窓（３１４）は、保温する必要がある時間を表示し、
液体注入口（３０８）は、必要である場合、外部容器に貯蔵される加熱媒体や、試薬を容器（３０１）に定量に加入することを許可し、液体排出口（３０７）は、容器（３０１）における加熱媒体や液体を容器から排出することを許可し、液体注入口及び液体排出口は、マイクロポンプ又は電磁弁に接続することができ、制御器（３０９）によりマイクロポンプ又は電磁弁の開閉を制御することを特徴とするサンプルスライドの処理装置。
【請求項２】
前記スライドカバー（１００）には矩形の平面凹溝があり、それにより、スライド（１０１）とカバーとが近接した後、その間に微小ギャップを形成し、サンプルスライドのシートが微小ギャップにおけるスライド（１０１）の表面に貼り付け、試薬液体がカバー（１００）とスライド（１０１）との間に形成する試薬添加溝（１０２）を介して微小ギャップに進入し、サンプルスライドに均一に塗布されることを特徴とする請求項１に記載のサンプルスライドの処理装置。
【請求項３】
前記カバーは、毛管現象発生平面（１）、深さ位置決め面（２）、幅位置決めブロック（３）、底部位置決めブロック（４）、溝側面（６）、溝開口面（７）を含み、前記毛管現象発生平面（１）のお互いに対向する両側辺の上方には、２つの前記深さ位置決め面（２）が設けられ、毛管現象発生平面（１）は、深さ位置決め面に平行し、前記スライドの平面の両側辺縁に近接する部分は、深さ位置決め面（２）に貼り合せ、スライド表面と毛管現象発生平面（１）との間に微小ギャップを形成し、それぞれの深さ位置決め面（２）において毛管現象発生平面（１）から離れる外側辺縁には１つ以上の前記幅位置決めブロック（３）が設けられ、異なる深さ位置決め面（２）に位置する幅位置決めブロック（３）間の垂直距離は、スライドの幅にマッチングして位置制限し、底部位置決めブロック（４）は、深さ位置決め面（２）の底端に設けられ、前記溝開口面（７）と毛管現象発生平面（１）の上端とが接続して夾角Ａ１を形成し、Ａ１が１〜１７５度の平面角であり、溝開口面（７）の両側には、それぞれ、溝側面（６）が接続し、前記溝開口面（７）及び２つの溝側面（６）は、スライド平面と共同に前記微小ギャップに連通する試薬添加溝を構成し、微小ギャップの底部にはギャップ口があり、スライドカバーは、スライドの長さと等しく、溝側面（６）においてスライド平面に貼り合せる一側、即ち、２つの前記深さ位置決め面（２）の上端には、共に、タグ収容溝（９）が設けられ、スライドにはタグが貼り付けているとき、タグ収容溝は、タグの厚さを収容するための十分な空間を提供し、それにより、スライドカバーは、スライドにタグが貼り付けられているか否かに関わらずスライドに緊密に貼り付けることができ、２つの溝側面（６）の外側には、頂部模様（１０）が設けられ、溝側面（６）と指との間の摩擦力を増加し、毛管現象発生平面（１）と深さ位置決め面（２）との間の垂直距離が０．０１〜０．５ｍｍであり、スライドカバー及びスライドは、緊密に貼り付けた後にスライド表面と毛管現象発生平面（１）との間にピッチ０．０１〜０．５ｍｍの微小ギャップを形成し、前記幅位置決めブロック（３）は、深さ位置決め面（２）の厚さより０．１〜１ｍｍ高く、底部位置決めブロック（４）は、上向きの鉤状であり、底部位置決めブロック（４）と幅位置決めブロック（３）は、共に、カバーとスライドとが貼り合せた後の相対位置を決定し、かつカバーとスライドとの間の緊密貼合せを保持することを支援することを特徴とする請求項２に記載のサンプルスライドの処理装置。
【請求項４】
スライドアセンブリ（１０３）がＶ字状の挿入溝に挿入した後、スライドは、傾斜し、或いは竪立し、スライドと竪直方向との角度が１〜９０度であることを特徴とする請求項１に記載のサンプルスライドの処理装置。
【請求項５】
スライドには、少なくとも１つの生物サンプルを含むことを特徴とする請求項１に記載のサンプルスライドの処理装置。
【請求項６】
スライドサポートの両端が容器のお互いに対向する両側辺に掛けて、スライドサポートにおけるスライドアセンブリの底端と容器の底部との間に隙間を残し、前記スライドサポートには、一体に形成し、竪直し或いは傾斜する複数のＶ字状の挿入溝（２０３）を形成し、それぞれのＶ字状の挿入溝（２０３）には、ばね板（２０１）が固定して設置され、ばね板（２０１）とスライドサポートのＶ字状の挿入溝（２０３）は、一体に接続する構成であり、あるいは、独立に分離して設置し、独立に分離して設置するとき、ばね板（２０１）は、嵌合し、或いは接着するようにＶ字状の挿入溝（２０３）に固定され、スライドアセンブリがＶ字状の挿入溝（２０３）に挿入すると、カバー（１００）の表面がばね板（２０１）を押付けて、ばね板がスライド（１０１）とカバー（１００）を挟み込むことを特徴とする請求項１に記載のサンプルスライドの処理装置。
【請求項７】
独立する１つ又は複数の容器を含み、それにより、異なる温度や、異なる環境、異なるワークフローでのサンプルスライドの処理を同時に行うことを特徴とする請求項１に記載のサンプルスライドの処理装置。
【請求項８】
前記加熱装置は、電熱ロッド加熱や、電熱線加熱、マイクロ波加熱、電磁誘導加熱、熱媒体循環加熱方式を採用し、前記加熱器（３０３）と容器（３０１）は、接続構成又は分離可能な構成であることを特徴とする請求項１に記載のサンプルスライドの処理装置。
【請求項９】
請求項１〜８のいずれか一項に記載のサンプルスライドの処理装置を使用する処理方法であって、スライドカバーとスライドとが緊密に貼り合せた後、組み合わせたスライドアセンブリ（１０３）は、容器の熱溶液に完全に浸漬され、或いは底部部分が容器の熱溶液に挿入して加熱し、加熱過程において揮発を発生しても、ギャップのうちの容液も底部のギャップ口から吸込まれることができ、自動的に補充されることを特徴とする処理方法。
【請求項１０】
スライドアセンブリは、熱処理するとき、容器の加熱媒体を沸騰まで加熱し、熱処理温度を制御することを特徴とする請求項９に記載の処理方法。
【請求項１１】
検証過程において容器（３０１）の容液が沸騰した後、時間Ｔ２保温することが要求されると仮定し、加熱し始めるとき、制御器は、加熱電力がＫ１になるように設置して快速加熱し、加熱過程において、熱電対（３１２）は、溶液の温度を随時にフィードバックし、温度が沸点に達するとき、制御器は、加熱電力がＫ２になるように設定し、温和な沸騰を保持すると共に、計時を開始し、計時がＴ２に達するとき、加熱を一時停止させることを特徴とする請求項９に記載の処理方法。
【請求項１２】
容器に対する加熱は、試験で検証した後、沸騰まで加熱する時間Ｔ１及び保温時間Ｔ２を設置すればよく、熱電対のフィードバックにより加熱の時間および電力を調整する必要がないことを特徴とする請求項９に記載の処理方法。
【請求項１３】
制御器は、供給用マイクロポンプが容器に液体を注入し、排出用マイクロポンプが液体を容器から排出することを自動的に制御し、サンプルスライドの処理には熱処理が必要であるとき、供給用マイクロポンプは、容器に液体を注入してサンプルスライドを煮えて加熱し、熱処理した後、排出用マイクロポンプは、加熱液をポンピングし、或いはサンプルスライド処理過程に発生した廃液をポンピングすることを特徴とする請求項９に記載の処理方法。
【請求項１４】
新たな試薬を添加するとき、新たな試薬は、試薬添加溝を介してギャップに進入し、ギャップにおける本来の試薬は、スライドアセンブリの底部のギャップ口から流出し、自動的に置換され、新たな試薬を添加する前、先の試薬を除去し、乾燥操作する必要がないことを特徴とする請求項９に記載の処理方法。  
【請求項１５】
供給用マイクロポンプの流速がＶ２であり、排出用マイクロポンプの流速がＶ３であり、容器の長さがＬであり、幅がＷであると仮定し、一操作過程において、容器に溶液を増加する必要である深さがＨであると、制御器において新たに溶液を増加する深さの数値がＨになるように設定することができ、このとき、制御器は、供給用マイクロポンプ（３１１）の運転時間Ｔ３＝Ｌ＊Ｗ＊Ｈ／Ｖ２を自動的に算出し、上記Ｈ深さの溶液を容器から排出する必要があるとき、制御器は、排出用マイクロポンプ（３１０）の作動時間がＴ３＋Δｔになるように制御し、Δｔが、容器のうちの液体を完全に排出するために設定された時間余裕であることを特徴とする請求項１３に記載の処理方法。
【発明の詳細な説明】
【技術分野】
【０００１】
本発明は、生物サンプル処理分野に関し、特に、サンプルスライドの処理装置及び処理方法に関する。
【背景技術】
【０００２】
サンプルスライドにおけるタンパク質や、病原体、遺伝子検査（例えば、免疫組織化学及びｉｎ  ｓｉｔｕハイブリダイゼーションの遺伝子検査など）の全過程は、数十個の複雑な工程が必要であり、環境や人工操作などの各種要素は、テスト結果の正確性にひどく影響する。操作プローを簡易化し、環境に影響される要素を低減することは、サンプル検出効率と正確性を向上するために最も重要なことである。
【０００３】
現在、検証過程において、サンプルスライドは、タイルして放置され、大きな空間を占め、サンプルスライド処理の流量及び効率を影響する。
【０００４】
試薬添加は、シートの上方から噴射し、試薬添加の位置誤差が大きい。試薬を滴下した後、オープンして培養すると、試薬が揮発してサンプルスライドが乾燥になりやすい問題を発生する。
【０００５】
通常、試薬は、スライドの上方から滴下し、試薬を添加する前にスライドにおける本来の液体を除去し、乾燥し、拭き取る必要がある。このように操作すると、人為的ばらつきが大きく、残液は、一定の程度に次の試薬の濃度及び効果を影響する。スライドを拭き取る過程において、サンプルを損害し、及び先の拭き取られるサンプルが乾燥し、サンプル処理失敗を引き起こす。
【０００６】
サンプル処理の途中において、大部分のサンプルは、加熱処理を行う必要がある。大部分のサンプルが加熱処理を行う必要があることは、抗原又は病原体特徴のタンパク質が、本来の形状を復元し、或いは遺伝子鎖を溶解するために必要である工程である。加熱は、一般的に、８０−１２１℃の温度で行い、かつ３−６０分間維持する。最も通常の方法は、圧力釜による煮込みや、一般的な煮沸、電子レンジによる煮込み、熱浴による加熱などの方法が挙げられる。しかしながら、現在の手動操作において、一般的に使用されるサンプルスライドの処理容器又載置フレームは、耐熱するものではなく、加熱機能も有しない。サンプルスライドの処理途中にサンプルスライドを加熱可能な容器に移行し、その後に常温の操作台に移行する必要があり、操作プローの複雑性と操作誤差を増加する。
【０００７】
本発明は、サンプルスライドの処理過程に移行する必要がなく、終始に同一装置において処理し、サンプルスライドの処理過程において、手動でスライドを取ったり移行する必要がなく、人為的干渉及び介入を低減し、時間を節約し、操作を簡易化するだけでなく、操作誤差を低減することができる。
【発明の概要】
【発明が解決しようとする課題】
【０００８】
上記問題を解決するために、サンプルスライドの処理装置及び処理方法を提出し、それは、大量のスライドを緊密に放置し、スライドが終始に１つの装置に置かれて処理を行い、サンプルスライドがいつでも試薬にカバーされることを保証し、熱処理の重複性及び信頼性を確保する。
【課題を解決するための手段】
【０００９】
本発明の目的は、以下の少なくとも１つの技術案により達成される。
【００１０】
サンプルスライドの処理装置であって、容器、ベース、加熱装置、スライドカバー、スライド、スライドサポート、液体排出口、液体注入口、制御器、熱電対、温度表示画面、保温時間表示窓、保温時間調整ボタンを含む。前記スライドサポートは、単一列の挿入溝を有するスライドサポート又は複数列の挿入溝を有するスライドサポートである。
【００１１】
前記スライドカバーは、スライドと配合し、サンプル処理のための１組のスライドアセンブリを構成する。
【００１２】
容器には、１つ又は複数のスライドサポートを吊り下げて、スライドサポートの各列には１つ以上のＶ字状の挿入溝が設けられ、同一列のＶ字状の挿入溝が直線状に布置され、それぞれのＶ字状の挿入溝には、ばね板が設けられ手いる。スライドアセンブリの上端の外形はＶ字状の挿入溝にマッチングし、スライドアセンブリがスライドサポートのＶ字状の挿入溝に沿って挿入し、スライドカバーの背面がばね板を押付けて、ばね圧を発生してスライドとスライドカバーを押し締める。
【００１３】
加熱装置は、ベースの上方かつ容器の下方に位置し、制御器は、加熱装置の容器に対する加熱作業を制御する。熱電対は、容器に配置され、容器の温度をリアルタイムに検知し、かつ検知した温度情報を制御器に伝送して加熱装置の電力出力を調整し、従って温度を調整する。温度表示画面は、容器の温度を表示する。保温時間調整ボタンは、保温の時間を調整して設置することができる。保温時間表示窓は、保温する必要がある時間を表示する。
【００１４】
液体注入口は、必要である場合、外部容器に貯蔵される加熱媒体や、試薬を容器に定量に加入することを許可し、液体排出口は、容器における加熱媒体や液体を容器から排出することを許可し、液体注入口及び液体排出口は、マイクロポンプ又は電磁弁に接続することができ、制御器によりマイクロポンプ又は電磁弁の開閉を制御する。
【００１５】
さらに、前記スライドカバーには矩形の平面凹溝があり、それにより、スライドとカバーとが近接した後、その間に微小ギャップを形成し、サンプルスライドのシートが微小ギャップにおけるスライドの表面に貼り付け、試薬液体がカバーとスライドとの間に形成する試薬添加溝を介して微小ギャップに進入し、サンプルスライドに均一に塗布される。
【００１６】
さらに、前記カバーは、毛管現象発生平面（ｃａｐｉｌｌａｒｙ  ｓｕｒｆａｃｅ）、深さ位置決め面、幅位置決めブロック、底部位置決めブロック、溝側面、溝開口面を含む。前記毛管現象発生平面のお互いに対向する両側辺の上方には、２つの前記深さ位置決め面が設けられ、毛管現象発生平面は、深さ位置決め面に平行する。前記スライドの平面の両側辺縁に近接する部分は、深さ位置決め面に貼り合せ、スライド表面と毛管現象発生平面との間に微小ギャップを形成する。それぞれの深さ位置決め面において毛管現象発生平面から離れる外側辺縁には１つ以上の前記幅位置決めブロックが設けられている。異なる深さ位置決め面に位置する幅位置決めブロック間の垂直距離は、スライドの幅にマッチングして位置制限する。底部位置決めブロックは、深さ位置決め面の底端に設けられている。前記溝開口面と毛管現象発生平面の上端とが接続して夾角Ａ１を形成し、Ａ１が１〜１７５度の平面角である。溝開口面の両側には、それぞれ、溝側面が接続している。前記溝開口面及び２つの溝側面は、スライド平面と共同に前記微小ギャップに連通する試薬添加溝を構成し、微小ギャップの底部にはギャップ口がある。スライドカバーは、スライドの長さと等しく、溝側面においてスライド平面に貼り合せる一側、即ち、２つの前記深さ位置決め面の上端には、共に、タグ収容溝が設けられ、スライドにはタグが貼り付けているとき、タグ収容溝は、タグの厚さを収容するための十分な空間を提供し、それにより、スライドカバーは、スライドにタグが貼り付けられているか否かに関わらずスライドに緊密に貼り付けることができる。２つの溝側面の外側には、頂部模様が設けられ、溝側面と指との間の摩擦力を増加する。毛管現象発生平面と深さ位置決め面との間の垂直距離が０．０１〜０．５ｍｍであり、スライドカバー及びスライドは、緊密に貼り付けた後にスライド表面と毛管現象発生平面との間にピッチ０．０１〜０．５ｍｍの微小ギャップを形成する。前記幅位置決めブロックは、深さ位置決め面の厚さより０．１〜１ｍｍ高い。底部位置決めブロックは、上向きの鉤状であり、底部位置決めブロックと幅位置決めブロックは、共に、カバーとスライドとが貼り合せた後の相対位置を決定し、かつカバーとスライドとの間の緊密貼合せを保持することを支援する。
【００１７】
さらに、スライドアセンブリがＶ字状の挿入溝に挿入した後、スライドは、傾斜し、或いは竪立し、スライドと竪直方向との角度が１〜９０度である。
【００１８】
さらに、スライドには、少なくとも１つの生物サンプルを含む。
【００１９】
さらに、スライドサポートの両端が容器のお互いに対向する両側辺に掛けて、スライドサポートにおけるスライドアセンブリの底端と容器の底部との間に隙間を残す。前記スライドサポートには一体に形成し、竪直し或いは傾斜する複数のＶ字状の挿入溝を形成し、それぞれのＶ字状の挿入溝には、ばね板が固定して設置される。ばね板とスライドサポートのＶ字状の挿入溝は、一体に接続する構成であり、あるいは、独立に分離して設置し、独立に分離して設置するとき、ばね板は、嵌合し、或いは接着するようにＶ字状の挿入溝に固定される。スライドアセンブリがＶ字状の挿入溝に挿入すると、カバーの表面がばね板を押付けて、ばね板がスライドとカバーを挟み込む。
【００２０】
さらに、独立する１つ又は複数の容器を含み、それにより、異なる温度や、異なる環境、異なるワークフローでのサンプルスライドの処理を同時に行う。
【００２１】
さらに、前記加熱装置は、電熱ロッド加熱や、電熱線加熱、マイクロ波加熱、電磁誘導加熱、熱媒体循環加熱方式を採用し、前記加熱器と容器は、接続構成又は分離可能な構成である。
【００２２】
上記サンプルスライドの処理装置を使用する処理方法では、スライドカバーとスライドとが緊密に貼り合せた後、組み合わせたスライドアセンブリは、容器の熱溶液に完全に浸漬され、或いは底部部分が容器の熱溶液に挿入して加熱し、加熱過程において揮発を発生しても、ギャップのうちの容液も底部のギャップ口から吸込まれることができ、自動的に補充される。
【００２３】
さらに、スライドアセンブリは、熱処理するとき、容器の加熱媒体を沸騰まで加熱し、熱処理温度を制御する。
【００２４】
さらに、検証過程において容器の容液が沸騰した後、時間Ｔ２保温することが要求されると仮定し、加熱し始めるとき、制御器は、加熱電力がＫ１になるように設置して快速加熱し、加熱過程において、熱電対は、溶液の温度を随時にフィードバックし、温度が沸点に達するとき、制御器は、加熱電力がＫ２になるように設定し、温和な沸騰を保持すると共に、計時を開始し、計時がＴ２に達するとき、加熱を一時停止させる。
【００２５】
さらに、容器に対する加熱は、試験で検証した後、沸騰まで加熱する時間Ｔ１及び保温時間Ｔ２を設置すればよく、熱電対のフィードバックにより加熱の時間および電力を調整する必要がない。
【００２６】
さらに、制御器は、供給用マイクロポンプが容器に液体を注入し、排出用マイクロポンプが液体を容器から排出することを自動的に制御し、サンプルスライドの処理には熱処理が必要であるとき、供給用マイクロポンプは、容器に液体を注入してサンプルスライドを煮えて加熱し、熱処理した後、排出用マイクロポンプは、加熱液をポンピングし、或いはサンプルスライド処理過程に発生した廃液をポンピングする。
【００２７】
さらに、新たな試薬を添加するとき、新たな試薬は、試薬添加溝を介してギャップに進入し、ギャップにおける本来の試薬は、スライドアセンブリの底部のギャップ口から流出し、自動的に置換され、新たな試薬を添加する前、先の試薬を除去、乾燥操作する必要がない。
【００２８】
さらに、供給用マイクロポンプの流速がＶ２であり、排出用マイクロポンプの流速がＶ３であり、容器の長さがＬであり、幅がＷであると仮定し、一操作過程において、容器に溶液を増加する必要である深さがＨであると、制御器において新たに溶液を増加する深さの数値がＨになるように設定することができ、このとき、制御器は、供給用マイクロポンプの運転時間Ｔ３＝Ｌ＊Ｗ＊Ｈ／Ｖ２を自動的に算出する。上記Ｈ深さの溶液を容器から排出する必要があるとき、制御器は、排出用マイクロポンプの作動時間がＴ３＋Δｔになるように制御し、Δｔが、容器のうちの液体を完全に排出するために設定された時間余裕である。
【００２９】
本発明は、スライドアセンブリに対して熱処理を行うとき、容器のうちの加熱媒体を沸騰まで加熱することができ、加熱媒体の沸点により熱処理温度を制御し、熱処理の均一性、信頼性及び重複性を達成する。サンプルスライドの処理全過程において、スライドは、同一位置に位置して移動しない。スライドアセンブリが熱処理するとき、サンプルスライドは、それぞれ加熱し、単独に温度を制御するのではなく、複数のスライドアセンブリは、同一容器において、単一の加熱制御器により温度を制御する上で処理を行う。
【００３０】
前記制御器は、ＰＩＣシングルチップマイクロコンピュータ、５１シングルチップマイクロコンピュータ、又はＰＬＣ制御器などの制御器を採用し、制御器によりリレーのオン／オフを制御し、それにより加熱機能の起動・停止を実現し、注入口及び排出口の開閉制御を実現する。
【００３１】
従来の技術に比べて、本発明は、以下のメリット及び技術効果を有する。
【００３２】
本発明に係るスライドカバーとスライドとが組み合わせてスライドアセンブリを形成し、スライドアセンブリの中央には微小ギャップがあり、微小ギャップの上方には試薬添加溝が設けられ、試薬が試薬添加溝に添加された後、重力及び毛細管によるサイフォン作用でギャップをいっぱいに充填し、過剰の試薬は、微小ギャップの底部におけるギャップ口から流出するが、ギャップのうちの液体が完全に流出することがしなく、サンプルスライドが試薬にカバーされることを確保する。熱処理する必要があるとき、容器に試薬又は加熱媒体を注入して加熱を行い、挿入溝に挿入されるスライドアセンブリは、全部又は底部部分が容器の加熱媒体に浸漬される。加熱において揮発を発生しても、毛細管によるサイフォン作用により、ギャップのうちの液体は、スライドアセンブリの底部のギャップ口を介して吸込まれることができ、自動的に補充し、熱処理過程においてサンプルが乾燥する現象を発生しないと保証する。加熱時間は、時間調整窓により柔軟に調整することができる。容器の温度は、温度表示画面により随時に観察することができる。本発明は、サンプルスライド処理の全過程を１つの装置に終始に行わせ、途中にサンプルスライドを移行する必要がない。本発明に係る装置は、さらに、容器に加熱媒体を注入し、及び加熱媒体と廃液を容器から排出する装置を配置し、スライド処理過程において人工の操作及び介入を減少する。
【００３３】
好ましくは、本発明は、独立する複数の容器を設置することができ、それぞれ独立する温度制御を行うことができ、異なる温度又は異なる操作プローでのサンプルスライドの処理を行うことに用いられる。
【００３４】
このようなスライドアセンブリは、傾斜し、或いは竪立して放置されるとき（１−９０度間）、操作過程に新たな試薬を添加する場合、ギャップのうちの本来の試薬は、新たな試薬に自動的に置換され、底部の導流口から流出し、新たな試薬を添加する前にスライドにおける本来の液体（試薬）を除去、乾燥する工程が必要ではない。サンプルスライドの処理全過程において、手動でスライドを取ったり移行する必要がなく、洗浄効率を向上し、プロ−を簡易化する。
【図面の簡単な説明】
【００３５】
【図１】図１は、実施例におけるサンプルスライド処理装置の模式図である。
【図２】図２は、実施例におけるスライドカバーの構成模式図である。
【図３】図３は、実施例におけるスライドとカバーとの組み合わせ部材（スライドアセンブリ）の模式図である。
【図４ａ】図４ａは、図３におけるスライドアセンブリの正面図である。
【図４ｂ】図４ｂは、図３のＡ−Ａ断面図である。
【図４ｃ】図４ｃは、図４ｂのＢ部の一部拡大模式図である。
【図５ａ】図５ａは、実施例におけるスライドサポートの模式図である。
【図５ｂ】図５ｂは、実施例における複数列の挿入溝を含むスライドサポートの模式図である。
【図６】図６は、実施例におけるスライドアセンブリを挿入したスライドサポートの模式図である。
【図７】図７は、実施例における処理サンプルスライド装置からスライドサポートを除去した模式図である。
【図８】図８は、図７に示される装置の断面図である。
【図９】図９は、図８に示される装置のスライドサポート及びスライドアセンブリを放置した模式図である。
【図１０】図１０は、図７に示される装置の複数列の挿入溝を有するスライドサポートを放置した模式図である。
【発明を実施するための形態】
【００３６】
以下、具体的な実施例を結び合わせて本発明を説明するが、本発明は、それに限定されていない。
【００３７】
図１〜図１０に示すように、本実施例に係るサンプルスライド処理装置、主に、容器３０１、ベース３０２、加熱器３０３、液体排出口３０７、液体注入口３０８、制御器３０９、液体排出ポンプ３１０、液体注入ポンプ３１１、熱電対３１２、温度表示画面３１３、時間調整窓３１４、スライドカバー６０１、スライド１０１、スライドサポート６０２などの部材を含む。
【００３８】
図５ａ、図５ｂに示すように、前記スライドサポートは、単一列の挿入溝を有するスライドサポート２００又は複数列の挿入溝を有するスライドサポート２００ｂである。  
【００３９】
図３に示すように、前記スライドカバー１００は、スライド１０１と配合し、サンプル処理のための１組のスライドアセンブリ１０３を構成する。
【００４０】
図１において、容器３０１には、１つ又は複数のスライドサポートを吊り下げて、スライドサポートの各列には１つ以上のＶ字状の挿入溝２０３が設けられ、同一列のＶ字状の挿入溝２０３は、直線状に布置される。それぞれのＶ字状の挿入溝にはばね板２０１が設けられ、スライドアセンブリの上端の外形は、Ｖ字状の挿入溝にマッチングし、スライドアセンブリ１０３がスライドサポートのＶ字状の挿入溝に沿って挿入し、スライドカバー１００の背面がばね板２０１を押付けて、ばね圧を発生してスライド１０１とスライドカバー１００を押し締める。
【００４１】
加熱装置３０３は、ベース３０２の上方かつ容器３０１の下方に位置する。制御器３０９は、加熱装置の容器３０１に対する加熱作業を制御し、熱電対３１２は、容器に置かれる。熱電対３１２は、容器（３０１）の温度をリアルタイムに検知し、かつ検知した温度情報を制御器３０９に伝送して加熱装置の電力出力を調整し、従って温度を調整する。温度表示画面３１３は、容器の温度を表示する。保温時間調整ボタン３１５は、保温の時間を調整して設置することができる。保温時間表示窓３１４は、保温する必要である時間を表示する。
【００４２】
液体注入口３０８は、必要である場合、外部容器に貯蔵される加熱媒体や、試薬を容器３０１に定量に加入することを許可し、液体排出口３０７は、容器３０１における加熱媒体や液体を容器から排出することを許可し、液体注入口及び液体排出口は、マイクロポンプ又は電磁弁に接続することができ、制御器３０９によりマイクロポンプ又は電磁弁の開閉を制御する。
【００４３】
前記スライドカバー１００には矩形の平面凹溝があり、それにより、スライド１０１とカバーとが近接した後、その間に微小ギャップを形成し、サンプルスライドのシートが微小ギャップにおけるスライド１０１の表面に貼り付け、試薬液体がカバー１００とスライド１０１との間に形成する試薬添加溝１０２を介して微小ギャップに進入し、サンプルスライドに均一に塗布される。重力及び毛細管によるサイフォン作用により、試薬液体は、カバーとスライド１０１との間に形成する開口である試薬添加溝１０２を介して微小ギャップに進入し、サンプルにカバーする。
【００４４】
図３及び図４ａ〜図４ｃに示すように、前記カバーは、毛管現象発生平面１、深さ位置決め面２、幅位置決めブロック３、底部位置決めブロック４、溝側面６、溝開口面７を含む。前記毛管現象発生平面１のお互いに対向する両側辺の上方には、２つの前記深さ位置決め面２が設けられ、毛管現象発生平面１は、深さ位置決め面に平行し、前記スライドの平面の両側辺縁に近接する部分は、深さ位置決め面２に貼り合せ、スライド表面と毛管現象発生平面１との間に微小ギャップを形成する。それぞれの深さ位置決め面２において毛管現象発生平面１から離れる外側辺縁には１つ以上の前記幅位置決めブロック３が設けられ、異なる深さ位置決め面２に位置する幅位置決めブロック３間の垂直距離は、スライドの幅にマッチングして位置制限する。底部位置決めブロック４は、深さ位置決め面２の底端に設けられ、前記溝開口面７と毛管現象発生平面１の上端とが接続して夾角Ａ１を形成し、Ａ１が１〜１７５度の平面角である。溝開口面７の両側には、それぞれ、溝側面６が接続し、前記溝開口面７及び２つの溝側面６は、スライド平面と共同に前記微小ギャップに連通する試薬添加溝を構成し、微小ギャップの底部にはギャップ口がある。スライドカバーは、スライドの長さと等しく、溝側面６においてスライド平面に貼り合せる一側、即ち、２つの前記深さ位置決め面２の上端には、共に、タグ収容溝９が設けられ、スライドにはタグが貼り付けているとき、タグ収容溝は、タグの厚さを収容するための十分な空間を提供し、それにより、スライドカバーは、スライドにタグが貼り付けられているか否かに関わらずスライドに緊密に貼り付けることができる。２つの溝側面６の外側には、頂部模様１０が設けられ、溝側面６と指との間の摩擦力を増加する。毛管現象発生平面１と深さ位置決め面２との間の垂直距離が０．０１〜０．５ｍｍであり、スライドカバー及びスライドは、緊密に貼り付けた後にスライド表面と毛管現象発生平面１との間にピッチ０．０１〜０．５ｍｍの微小ギャップを形成する。前記幅位置決めブロック３は、深さ位置決め面２の厚さより０．１〜１ｍｍ高く、底部位置決めブロック４は、上向きの鉤状であり、底部位置決めブロック４と幅位置決めブロック３は、共に、カバーとスライドとが貼り合せた後の相対位置を決定し、かつカバーとスライドとの間の緊密貼合せを保持することを支援する。Ｖ字状の挿入溝がスライドアセンブリの構成と配合することにより、容器は、多くのスライドアセンブリを収容することができ、使用するとき、指で２つの溝側面の頂部模様部位とスライドを挟んで、スライドアセンブリを挿入溝に容易に挿入し、スライドの頂端を押付けるとき受力が不均一になり、或いは受力方向が偏差があるのでスライドをスライドカバーから離間させることを回避し、微小ギャップの形成及び正確性を保証し、操作がより便利で快速である。また、スライドアセンブリの排列は、より緊密になり、さらに空間を減少し、処理効率を向上する。
【００４５】
実施例として、すべてのアセンブリは、８０℃以上になっても変形したり、軟化したりしない材料から製造される。スライドアセンブリ１０３がＶ字状の挿入溝に挿入した後、スライドは、傾斜し、或いは竪立し、スライドと竪直方向との角度が１〜９０度である。スライドには少なくとも１つの生物サンプルを含む。
【００４６】
図９に示すように、スライドサポートの両端が容器のお互いに対向する両側辺に掛けて、スライドサポートにおけるスライドアセンブリの底端と容器の底部との間に隙間を残す。前記スライドサポートには、一体に形成し、竪直し或いは傾斜する複数のＶ字状の挿入溝２０３を形成し、それぞれのＶ字状の挿入溝２０３には、ばね板２０１が固定して設置される。ばね板２０１とスライドサポートのＶ字状の挿入溝２０３は、一体に接続する構成であり、あるいは、独立に分離して設置し、独立に分離して設置するとき、ばね板２０１は、嵌合し、或いは接着するようにＶ字状の挿入溝２０３に固定される。スライドアセンブリがＶ字状の挿入溝２０３に挿入すると、カバー１００の表面がばね板２０１を押付けて、ばね板がスライド１０１とカバー１００を挟み込む。
【００４７】
本実施例に係るサンプルスライドの処理装置は、独立する１つ又は複数の容器を含むことができ、異なる温度や、異なる環境、異なるワークフローでのサンプルスライドの処理を同時に行う。前記加熱装置は、電熱ロッド加熱や、電熱線加熱、マイクロ波加熱、電磁誘導加熱、熱媒体循環加熱方式を採用し、前記加熱器３０３と容器３０１は、接続構成又は分離可能な構成である。
【００４８】
本実施例に係るサンプルスライドの処理装置を採用する処理方法は、スライドカバーとスライドとが緊密に貼り合せた後、組み合わせたスライドアセンブリ１０３は、容器の熱溶液に完全に浸漬され、或いは底部部分が容器の熱溶液に挿入して加熱し、加熱過程において揮発を発生しても、ギャップのうちの容液も底部のギャップ口から吸込まれることができ、自動的に補充される。スライドアセンブリは、熱処理するとき、容器の加熱媒体を沸騰まで加熱することができ、熱処理温度を制御する。
【００４９】
検証過程において容器３０１の容液が沸騰した後、時間Ｔ２保温することが要求されると仮定し、加熱し始めるとき、制御器は、加熱電力がＫ１になるように設置して快速加熱し、加熱過程において、熱電対（３１２）は、溶液の温度を随時にフィードバックし、温度が沸点に達するとき、制御器は、加熱電力がＫ２になるように設定し、温和な沸騰を保持すると共に、計時を開始し、計時がＴ２に達するとき、加熱を一時停止させる。
【００５０】
実施例として、容器に対する加熱は、試験で検証した後、沸騰まで加熱する時間Ｔ１及び保温時間Ｔ２を設置すればよく、熱電対のフィードバックにより加熱の時間および電力を調整する必要がない。
【００５１】
実施例において、新たな試薬を添加するとき、新たな試薬は、試薬添加溝を介してギャップに進入し、ギャップにおける本来の試薬は、スライドアセンブリの底部のギャップ口から流出し、自動的に置換される。新たな試薬を添加する前、先の試薬を除去し、乾燥操作する必要がない。実施例として、前記制御器は、ＰＩＣシングルチップマイクロコンピュータ、５１シングルチップマイクロコンピュータ、又はＰＬＣ制御器などの制御器を採用し、制御器によりリレーのオン／オフを制御し、供給用マイクロポンプと排出用マイクロポンプの起動・停止を制御し、加熱器の起動・停止及び加熱過程における電力出力を制御する。
【００５２】
制御器は、供給用マイクロポンプが液体を注入し、排出用マイクロポンプが液体を容器から排出することを自動的に制御する。サンプルスライドの処理には熱処理が必要であるとき、供給用マイクロポンプは、容器に液体を注入してサンプルスライドを煮えて加熱し、熱処理した後、排出用マイクロポンプは、加熱液をポンピングし、或いはサンプルスライド処理過程に発生した廃液をポンピングする。供給用マイクロポンプの流速がＶ２であり、排出用マイクロポンプの流速がＶ３であり、容器の長さがＬであり、幅がＷであると仮定し、一操作過程において、容器に溶液を増加する必要である深さがＨであると、制御器において新たに溶液を増加する深さの数値がＨになるように設定することができ、このとき、制御器は、供給用マイクロポンプ３１１の運転時間Ｔ３＝Ｌ＊Ｗ＊Ｈ／Ｖ２を自動的に算出し、上記Ｈ深さの溶液を容器から排出する必要があるとき、制御器は、排出用マイクロポンプ３１０の作動時間がＴ３＋Δｔになるように制御し、Δｔが、容器のうちの液体を完全に排出するために設定された時間余裕である。
【００５３】
本発明は、スライドアセンブリに対して熱処理を行うとき、容器のうちの加熱媒体を沸騰まで加熱することができ、加熱媒体の沸点により熱処理温度を制御し、熱処理の均一性、信頼性及び重複性を達成する。サンプルスライドの処理全過程において、スライドは、同一位置に位置して移動しない。スライドアセンブリが熱処理するとき、サンプルスライドは、それぞれ加熱し、単独に温度を制御するのではなく、複数のスライドアセンブリは、同一容器において、単一の加熱制御器により温度を制御する上で処理を行う。
【００５４】
上記明細書の掲示及び指示に基づいて、当業者は、上記実施形態を変更したり、修正することができる。そのため、本発明は、以上に掲示し、説明した具体的な実施形態に限定されていなく、本発明のある修正及び変更も本発明の保護範囲に含まれる。
【符号の説明】
【００５５】
３０１−容器、３０２−ベース、３０３−加熱器、３０７−液体排出口、３０８−液体注入口、３０９−制御器、３１０−排出用マイクロポンプ（電磁弁）、３１１−供給用マイクロポンプ、３１２−熱電対、３１３−温度表示画面、３１４−保温時間表示窓、３１５−保温時間調整ボタン、３１６−パッド、１０１−スライド、１００−スライドカバー、２００−スライドサポート、２０１−ばね板、２０２−支持傾斜壁、２０３−挿入溝。
【図１】
2019509505.tif 000003
【図２】
2019509505.tif 000004
【図３】
2019509505.tif 000005
【図４ａ】
2019509505.tif 000006
【図４ｂ】
2019509505.tif 000007
【図４ｃ】
2019509505.tif 000008
【図５ａ】
2019509505.tif 000009
【図５ｂ】
2019509505.tif 000010
【図６】
2019509505.tif 000011
【図７】
2019509505.tif 000012
【図８】
2019509505.tif 000013
【図９】
2019509505.tif 000014
【図１０】
2019509505.tif 000015
【国際調査報告】
2019509505.tif 000016
2019509505.tif 000017
2019509505.tif 000018
2019509505.tif 000019
2019509505.tif 000020
2019509505.tif 000021